(57)【要約】      （修正有）【課題】帯状部材の構成と平たい止め金だけで作製され安価で機能効果の高い外反母趾保護具を提供すること。【解決手段】細長い帯状部材１にステッチ５を入れ微調整のある強固な細長い帯状部材１にし、それを構成し外反母趾で変形していく足親指を引っ張りその足親指の変形部は固定第一ステッチ止め１５部分で押さえ、帯状部材１の一端側は足裏側を回し、第二ステッチ止め１６する事で帯状部材１の構成が固定でき他一端側１８はかがと上２１を回して足の土踏まずの下側２２で止め一端側１７は前足首２３を回し内側くる節２４後で止めることで足全体をしっかり支え、更に体重が足に掛かる事により外反母趾部分に加圧がかかり外反母趾保護具はより機能を果たし正常な足に保護、防止、整形する。【選択図】図４
2006055591.tif 000002
【特許請求の範囲】
【請求項１】
細長い帯状部材から形成された外反母趾保護具であって、長さ方向の中央あたりで、帯状部材の表側と帯状部材の裏側を重ね交差させ足親指が入る小径リング状部を形成し、交差させた部分を固定第一ステッチ止めし、固定第一ステッチ止め部から延びる帯状部材の一端側は足が入る大径リング状部を形成し、前記固定第一ステッチ止め部から延びる他一端側の帯状部材表側と、前記大径リング部形成した一端側の帯状部材の裏側を重ね交差させ、交差させた部分を固定第二ステッチ止めし、この帯状部材の裏側の両先端裏側に第一止め金と第二止め金を取り付け、前記大形リング状部の位置の帯状部材表側の中央より一端側に第一係止用ル−プと帯状部材表側の先端近くの他一端側に第二係止用ル−プを設けた着脱自在に連結するように構成した事を特徴とする外反母趾保護具。
【請求項２】
前記帯状部材は伸縮性のある素材で細長い長方形に裁断し、両長辺側を縫い合わせて形成し、この縫い合わせによる縫い合わせ線が前記帯状部材の幅方向中央となるようにし、更に前記帯状部材の全体にわたってステッチを施し、伸縮性を止め強固にした事を特徴とする請求項１記載の外反母趾保護具。
【発明の詳細な説明】
【技術の分野】
【０００１】  本発明は足の親指第一関節、下部分の骨が変形してゆく外反母趾を防止、保護しながら整形して行き、また指、骨が変形してゆく時鈍痛が伴うのを緩和できる外反母趾保護具に関するものである。
【背景技術】
【０００２】  従来は足の骨、指の変形に対しては、一定の期間石膏で固定か、変形して行く部分に添え木、プラスチック製、アルミ製のものを当て又合成樹脂等で足形を取り作られているが、作られた製品は形ちが固定しているため固く着用しても痛く、皮膚呼吸の妨げでむれ、白くなったり、すべりやすく、長期に使用するため、体重を支える足に負担がかかり過ぎ手術以外はなかなか整形して行きにくい、又伸縮性の布ゴム入りは、伸びるため保護、防止整形しにくく、ゆっくり変形した骨の部分を防止、保護、整形してゆく為に足に掛かる体重の加圧をも外反母趾保護具はしっかり支え保持でき、その加圧力の効果をより一層高め外反母趾状態を治る外反母趾保護具は存在しなかった。
【発明の開示】
【発明が解決しようとする課題】
【０００３】  従来の外反母趾用具類は部分的用具や、その用具が硬過ぎたり、伸縮性素材は延び過ぎたり、又止め具に使用するマジックテ−プやファスナ−類等は足に加わる体重の加圧が計算されていないため、マジックテ−プやファスナ−類は剥がれたり、破れたり、外れゴミが入る等のトラブルが多いと言う問題がある。【０００４】  又外反母趾状態は日常皮靴、ハイヒ−ルを履く女性に多く、体力が弱って来る６０歳頃過ぎると歩き方のバランスが悪くなり、その影響で腰に負担が掛かり、長時間立ったり、歩いたりする事が困難になり、杖、車椅子等が使われている、又合成樹脂等で足型を取り造られたものは形が固定しているため外から当たる痛さは保護されても骨や指は整形されにくく、高価にもかかわらず短時間で外されていた、合成樹脂等で造られたものを着用したままで靴、足袋等履けず、人体にも負担が掛かり過ぎるため日常的に使用が困難で、又伸縮性の装具類は伸て外反母趾部分が整形しにくく、圧迫感があり、精神上負担が大きく又外反母趾で骨が曲がった部分をきっちり押さえられず効果がなく、止め具にマジックテ−プやファスナ−を使用されているが、足に体重の加圧が掛かり、正座すると剥がれ外れ又ゴミ類が付くと、マジック止めの効果がなくなり、ファスナ−は固く正座や靴を履くと痛く、又足に体重の加圧が掛かると、ファスナ−やマジックは壊れやすく、止める部分が痛い等の問題がある。
【課題を解決するための手段】
【０００５】  本発明は前記目的を達成するために請求項１記載の外反母趾保護具は細長い帯状部材１から形成された、外反母趾保護具であって、長さ方向の中央あたりで帯状部材の表側４と帯状部材の裏側３を重ね交差１４させ足親指が入る小径リング状部１２を形成し、交差１４させた部分を固定第一ステッチ止め１５し、固定第一ステッチ止め１５から延びる帯状部材１の一端側１７は足の裏側１９を回して足が入る大径リング状部１３を形成し、前記固定第一ステッチ止め１５の部から延びる他一端側１８の帯状部材の表側４と一端側１７の帯状部材の裏側３を重ね交差１４させ、交差１４させた部分を固定第二ステッチ止め１６にし、固定第二ステッチ止め１６部から延びる他一端側１８はかがとの上２１が回せるように曲げて、土踏まず下側２２で第一止め金８を第一係止用ル−プ１０に掛け止め着脱自在に連結するように構成し、前記固定第二ステッチ止め１６の部から延びる一端側１７は前足首２３を回せるように曲げ内側くる節２４後側に当たる位置で第二止め金９を前記固定第二ステッチ止め１６が延びる帯状部材１の他一端側１８ある第二係止用ル−プ１１に掛け止め着脱自在に連結した事を特徴とする。【０００６】  又請求項２記載の前記帯状部材１は伸縮性のある素材の両長辺側を縫い合わせて形成し、この縫い合わせによる縫い合わせ線２が前記帯状部材１の幅方向中央となるようにする事で、中央の伸縮性が止まり、更に前記帯状部材１の全体にわたりステッチ５を施すことで、一層伸縮性を止め強固になるが微妙な柔らかさが残り帯状部材１を足に曲げて回す時に足の曲がる部分にぴったり沿い、何日間着用しても足にも体全体にも負担が掛からなく、外反母趾状態部は固定第一ステッチ止め１５部分で、しっかり押さえられ固定第二ステッチ止め１６により外反母趾保護具は固定でき足全体を安全に支える。
【発明の効果】
【０００７】  本発明の外反母趾保護具は伸縮性のある素材で細長い帯状部材１を作製し帯状部材１全体にステッチ５を小さく入れ伸縮を止めてあり、引っ張っても延びなく、微妙な柔らかさだけが残り変形した足親指を横に引っ張り固定しても痛くなく又変形している外反母趾部分の鈍痛は外反母趾保護具を着用すると止まり、足親指に行く血液の流れが良くなり、冷たかった指先も暖かくなって大変快適である。【０００８】  本発明の外反母趾保護具に使用する止め金は足袋等に使われている平たいコハゼの様なものを使用するとしっかり止まり、外れなく安全であり土踏まずの位置では止め金と係止用ル−プと帯状部材が重なっても負担がなく、歩くと土踏まずに当たり心地よく、止め金を掛ける係止用ル−プを二段に付けておく事により止め金の掛け方によって足の各寸法が３〜４ｃｍの幅広く調節ができ又止め金を掛ける係止用ル−プの同じ位置の裏側に付け両面に掛けられる様にしておくと外反母趾保護具は一足で左右に着用でき、特に足の変形した人にも調節がしやすく便利であり、帯状部材と止め金だけで作製され、安価で外反母趾を直す効果が高い。【０００９】  外反母趾保護具を最初に幅広いベルトで作製し着用すると、伸びなくしっかりした製品が出来たが、着用して８時間程過ぎると曲げて、回している部分がしめつけられたようで神経が刺激され頭、首まで痛くなった、又幅広いゴム布で制作し着用すると曲げたり、回した部分にもぴったり沿い、伸び縮があり、着脱もしやすいが、時間がたつにつれて足が腫れて、血液循環が悪くなり、締め付けられた感じで、痛くなるとともにゴム布は全体に伸び効果がなく、外反母趾保護具を着用するとすべて解決でき整形、保護防止の機能の役割を大きく果たした。【００１０】  外反母趾保護具は長期に着用されるものである為、素材は強くて洗え、着脱も簡単で着用したままでソックス、足袋、靴等履いても通気性がよく、蒸れず、皮膚もふやけず、運動しても、外れなく安定している、外反母趾保護具はＬ、Ｍ、Ｓを作製し、各寸法が幅広く調節でき、その中から選び、どの人にも合うようになっていて安価であり、肌色で造ると着色してもほとんど見えず、淡い色でも、原色でも綺麗で治療するにも精神的にも効果のよい外反母趾保護具である。
【発明の実施するための最良の形態】
【００１１】  以下、本発明の実施の形態を図１〜図９に基づいて説明する。
【００１２】  図１においては、伸縮性のある素材を長方形に裁断し、両長辺側を縫い合わせ細長い帯状部材１に作製し、縫い合わせ線２は帯状部材の裏側３幅方向中央に置くことで伸縮性が延びないよう保持できる。
【００１３】  図２においては、帯状部材１の両端一方は直角に縫い６、他一方は斜め７に縫い７にすることで止め金をル−プに掛けた時に帯状部材１に平行に沿い、帯状部材１はステッチ５を入れ伸縮性を止めることにより、微妙で独特な特徴のある強固な帯状部材１になり、足の回りにぴったり沿う、長期に着用しても痛くなく帯状部材１の両端に第一止め金７と第二止め金８を付ける。
【００１４】  図３においては、帯状部材の表４に第一止め金８第二止め金９を掛ける第一係止用ル−プ１０第二係止用ル−プ１１を取り付ける、足の変形に合わせて帯状部材１のル−プを二段に付けておき止め金の掛け方によって足の変形各寸法が３〜４ｃｍの幅広く調節できる。
【００１５】  図４においては、帯状部材１で足親指が通るように曲げ小径リング状部１２にし交差１４させ、その交差１４させた上を固定第一ステッチ止め１５し強固して固定第一ステッチ止め１５から延びる一端側１７は足が入る大きさに曲げ、足の裏側１９位置を回し、表くる節前２０位置において、固定第一ステッチ止め１５から延びる他一端側１８と交差１４させ、大形リング状部１３を形成し、その交差１４させた上を固定第二ステッチ止め１６にし、更に固定第二ステッチ止め１６から延びる他一端側１８はかがとの上２１位置を回し、土踏まず下側２２に当たる位置で第一止め金８と第一係止ル−プ１０に掛け止め着脱自在に出来るように連結でき、更に固定第二ステッチ止め１６から延びる一端側１７は前足首２３位置を回し、内側くる節２４後側の位置で第二止め金９を第二係止用ル−プ１１に掛けて止め、着脱自在に出来るよう連結するように止められる。
【００１６】  図５においては、外反母趾保護具を構成した、外反母趾保護具の裏側に当たる位置から見た展開状態で第一止め金８と第二止め金９を示し、止め金は平たく薄く、強く引っ張られても外れない強い止め金を付ける。
【００１７】  図６においては、外反母趾保護具を足に着用した図で、外反母趾保護具の交差１４した上に固定第一ステッチ止め１５と固定第二ステッチ止め１６をする事により、外反母趾保護具は固定でき、バランスが安定して外反母趾状態の上をしっかり押さえ保護、防止、整形して行ける。
【００１８】  図７については、外反母趾保護具を着用し足の裏側１９から見た図で、土踏まず下側２２で第一係止用ル−プ１０に第一止め金８を掛け止め連結するが、土踏まずの位置はブリッチ状になっている為、帯状部材１と第一止め金８と第一係止用ル−プ１０との部分が土踏まず下側２２に重なっても負担にならず、歩く時に微妙に土踏まずに当たる踏み心地が良い。
【００１９】  図８については、左足に外反母趾保護具を着用した図で、足全体に体重の加圧が掛かる事により、外反母趾状態の位置はより一層押さえられ固定でき外反母趾で曲がった親指は外側に引っ張られ、健康な元の指の位置に戻す機能効果が発揮される、内側くる節２４後の凹んだ位置で第二係止用ル−プ１１に第二止め金９を掛けて止め連結するが、足内側くる節２４後は凹んだ位置になって座っても、靴を履いても痛くなく、負担がかからない。
【００２０】  図９においては、外反母趾保護具を着用し左足外側から見た図で、帯状部材１を足親指を回し、足の裏側１９を回し、かがとの上２１を回して構成されている為運動しても外反母趾保護具が指から外れたり、前に出たり、後に外れたりしなく、安定して外反母趾状態部を保護、防止、整形機能効果が得られるものである。
【図面の簡単な説明】
【００２１】
【図１】  本発明の外反母趾保護具の展開状態の斜視図
【図２】  本発明の帯状部材全体にステッチを入れ止め金を付けた斜視図
【図３】  本発明の帯状部材の表側に止め金を掛けるル−プを付けた斜視図
【図４】  本発明の外反母趾保護具を作製した斜視図
【図５】  本発明の外反母趾保護具の作製を裏側から見た形態の斜視図
【図６】  本発明の外反母趾保護具を着用し足表側から見た斜視図
【図７】  本発明の外反母趾保護具を着用し足裏側から見た斜視図
【図８】  本発明の外反母趾保護具を着用し左足内側から見た斜視図
【図９】  本発明の外反母趾保護具を着用し左足外側から見た斜視図
【符号の説明】
【００２２】１        帯状部材
２        縫い合わせ線
３        帯状部材の裏側
４        帯状部材の表側
５        ステッチ
６        直角縫い
７        斜め縫い
８        第一止め金
９        第二止め金
１０      第一係止用ル−プ
１１      第二係止用ル−プ
１２      小径リング状部
１３      大径リング状部
１４      交差
１５      固定第一ステッチ止め
１６      固定第二ステッチ止め
１７      一端側
１８      他一端側
１９      足の裏側
２０      くる節前
２１      かがとの上
２２      土踏まず下側
２３      前足首
２４      内側くる節
【図１】
2006055591.tif 000003
【図２】
2006055591.tif 000004
【図３】
2006055591.tif 000005
【図４】
2006055591.tif 000006
【図５】
2006055591.tif 000007
【図６】
2006055591.tif 000008
【図７】
2006055591.tif 000009
【図８】
2006055591.tif 000010
【図９】
2006055591.tif 000011
【手続補正書】
【提出日】平成17年11月30日(2005.11.30)
【手続補正１】
【補正対象書類名】特許請求の範囲
【補正対象項目名】全文
【補正方法】変更
【補正の内容】
【特許請求の範囲】
【請求項１】
細長い帯状部材から形成された外反母趾保護具であって、長さ方向の中央あたりで、前記帯状部材の表側と裏側を重ね交差させ足親指が入る小径リング状部を形成し、交差させた第一交差部分を固定第一ステッチ止めし、前記第一交差部分から延びる前記帯状部材の一端側は足が入る大径リング状部を形成し、前記第一交差部分から延びる前記帯状部材の他端側の表側と前記大径リング状部に形成した前記帯状部材の一端側の裏側を重ね交差させ、交差させた第二交差部分を固定第二ステッチ止めし、前記帯状部材の両先端の裏側に第一止め金と第二止め金を取り付け、前記帯状部材の中央より一端側における前記大径リング状部の表側に第一係止用ループを設けるとともに、前記帯状部材の他端側の先端近くの表側に第二係止用ループを設け、前記帯状部材の他端側をかかとの上を回して前記第一止め金と前記第一係止用ループを土踏まず下側にて着脱自在に係止し、前記帯状部材の一端側を前足首を回して前記第二止め金と前記第二係止用ループを内側くる節の後側にて着脱自在に係止したことを特徴とする外反母趾保護具。
【請求項２】
前記帯状部材は伸縮性のある素材を細長い長方形に裁断し、両長辺側を縫い合わせて形成し、この縫い合わせによる縫い合わせ線が前記帯状部材の幅方向中央となるようにし、更に前記帯状部材の全体にわたってステッチを施したことを特徴とする請求項１に記載の外反母趾保護具。
【手続補正２】
【補正対象書類名】明細書
【補正対象項目名】０００５
【補正方法】変更
【補正の内容】
【０００５】
本発明の請求項１記載の外反母趾保護具は細長い帯状部材１から形成された外反母趾保護具であって、長さ方向の中央あたりで帯状部材の表側４と帯状部材の裏側３を重ね交差させ足親指が入る小径リング状部１２を形成し、交差させた第一交差部分１４を固定第一ステッチ止めし、第一交差部分１４から延びる帯状部材１の一端側１７は足の裏側１９を回して足が入る大径リング状部１３を形成し、第一交差部分１４から延びる帯状部材１の他端側１８の表側４と帯状部材１の一端側１７の裏側３を重ね交差させ、交差させた第二交差部分１４を固定第二ステッチ止めし、この第二交差部分１４から延びる帯状部材１の他端側１８はかかとの上２１を回すように曲げて、土踏まず下側２２で第一止め金８を第一係止用ループ１０に着脱自在に掛け止め連結するように構成し、第二交差部分１４から延びる帯状部材１の一端側１７は前足首を回すように曲げ内側くる節２４の後側で第二止め金９を帯状部材１の他端側１８の第二係止用ループ１１に着脱自在に掛け止め連結したことを特徴とする。
【手続補正３】
【補正対象書類名】明細書
【補正対象項目名】０００６
【補正方法】変更
【補正の内容】
【０００６】
また、本発明の請求項２記載の外反母趾保護具では、帯状部材１は伸縮性のある素材の両長辺側を縫い合わせて形成し、この縫い合わせによる縫い合わせ線２が帯状部材１の幅方向中央となるようにすることで、中央の伸縮性が止まり、更に帯状部材１の全体にわたりステッチ５を施すことで、一層伸縮性を止め強固になるが微妙な柔らかさが残り、帯状部材１を足に曲げて回す時に足の曲がる部分にぴったり沿い、何日間着用しても足にも体全体にも負担が掛からなく、外反母趾状態の部位は第一交差部分１４、即ち固定第一ステッチ止め１５の部分でしっかり押さえられ、第二交差部分１４、即ち固定第二ステッチ止め１６の部分により外反母趾保護具は固定でき、足全体を安全に支える。
【手続補正４】
【補正対象書類名】明細書
【補正対象項目名】００１５
【補正方法】変更
【補正の内容】
【００１５】
図４においては、帯状部材１で足親指が通るように曲げ小径リング状部１２にして交差させ、この交差する第一交差部分１４の上にステッチを施して固定第一ステッチ止め１５して強固に止める。  この固定第一ステッチ止め１５（第一交差部分１４）から延びる帯状部材１の一端側１７は足が入る大きさに曲げ、足の裏側１９を回し、表くる節の前位置２０において、固定第一ステッチ止め１５（第一交差部分１４）から延びる帯状部材１の他端側１８と交差させ、大径リング状部１３を形成し、この交差する第二交差部分１４の上にステッチを施して固定第二ステッチ止め１６とする。更に固定第二ステッチ止め１６（第二交差部分１４）から延びる帯状部材１の他端側１８はかかとの上の位置２１を回り、土踏まず下側２２の位置で第一止め金８と第一係止ループ１０に着脱自在に掛け止め出来るように構成され、更に固定第二ステッチ止め１６から延びる帯状部材１の一端側１７は前足首２３を回し、内側くる節２４の後側の位置で第二止め金９を第二係止用ループ１１に着脱自在に掛け止め、着脱自在に出来るよう連結するように止められる。
【手続補正５】
【補正対象書類名】明細書
【補正対象項目名】００１９
【補正方法】変更
【補正の内容】
【００１９】
図８においては、左足に外反母趾保護具を着用した図で、足全体に体重の加圧が加わることにより、外反母趾状態の位置はより一層押さえられて固定され、また外反母趾で曲がった親指は外側に引っ張られ、健康な元の指の位置に戻す機能効果が発揮される。また、内側くる節２４後側の凹んだ位置で第二係止用ループ１１に第二止め金９を掛けて止め連結するが、足内側くる節２４の後側は凹んだ位置になっているために、座っても、靴を履いても痛くなく、着用による負担がかからない。